(57)【要約】【課題】皮膚や体毛に対して光と空気流とを出力するヘアケア装置において、目に入る光の影響を抑えつつ皮膚や体毛に届く光量を増やすことが可能なヘアケア装置の技術を提供する。【解決手段】ヘアケア装置１００は、第１方向に流れる空気流４２を送出する送風部４０と、送風部４０の第１方向側に脱着可能に装着され、被照射部７０である皮膚または体毛を照らすための光束を出力する複数の発光素子２０を含む発光部１０と、を備える。送風部４０は被照射部７０に向けて空気流４２を送出するように構成され、複数の発光素子２０は、送風部４０の第１方向Ｐ側において、空気流４２の中心部を避けて空気流４２を囲む位置に並べて配置される。【選択図】図１
2019198712.tif 000002
【特許請求の範囲】
【請求項１】
筒状をなす筒状部を含み、第１方向に流れる空気流を前記筒状部の第１方向端に設けた送出口から送出する送風部と、
前記筒状部の第１方向側に脱着可能に装着され、被照射部である皮膚または体毛を照らすための光束を出力する発光部と、
を備え、
前記送風部は前記被照射部に向けて前記空気流を送出するように構成され、
前記発光部は、
前記筒状部の外周に嵌まる嵌合筒部と、前記送出口から第１方向に伸びる延伸部分と、を含む中空の部材と、
前記空気流の周囲を囲む配線基板と、
前記光束を出力する素子であって、前記配線基板の第１方向側に固定され、前記送出口の第１方向側において、前記空気流の中心部を避けて前記空気流を囲む位置に並べて配置される複数の発光素子と、
前記光束が透過する部材であって、前記複数の発光素子の第１方向側に配置され、前記複数の発光素子それぞれの第１方向側を収容する複数の凹部を有し、前記空気流の周囲を囲む中空環状部材と、
を含み、
前記配線基板と、前記複数の発光素子と、前記中空環状部材と、は前記延伸部分に収容されることを特徴とする発光部付き送風装置。
【請求項２】
前記複数の発光素子は、当該発光素子の光軸が前記被照射部の前記空気流の中心部が当たる部分を向くように傾斜して設けられることを特徴とする請求項１に記載の発光部付き送風装置。
【請求項３】
前記中空環状部材は、工具を用いずに手動にて交換可能に設けられることを特徴とする請求項１または２に記載の発光部付き送風装置。
【請求項４】
前記中空環状部材は、紫外線光を減衰させる材料から形成されることを特徴とする請求項１から３のいずれかに記載の発光部付き送風装置。
【請求項５】
前記中空環状部材は、第１方向に前進している前進領域と、前記前進領域より第１方向と反対向きに後退している後退領域と、を含むことを特徴とする請求項１から４のいずれかに記載の発光部付き送風装置。
【請求項６】
前記中空環状部材は、前記複数の凹部それぞれに対応する位置において第１方向に突出する複数の突出部を有し、
前記複数の突出部より第１方向側に突出する部分を有し、前記中空環状部材を環囲する中空円筒部材をさらに備え、
前記中空円筒部材は、前記中空環状部材より光透過性の低い材料から形成されることを特徴とする請求項１から５のいずれかに記載の発光部付き送風装置。
【請求項７】
前記発光部は、前記複数の発光素子のいずれかに電気的に接続される電子部品を含み、
前記電子部品の少なくとも一部は前記空気流が通過する範囲に配置されることを特徴とする請求項１から６のいずれかに記載の発光部付き送風装置。
【請求項８】
前記発光部は、第１方向側に張り出す張出部を有し、前記張出部が前記被照射部に予め設定された距離以下に接近したタイミングから予め設定されたタイマー時間が経過したとき、音、振動および光の少なくとも何れかを用いた合図を出力することを特徴とする請求項１から７のいずれかに記載の発光部付き送風装置。
【請求項９】
前記配線基板は周方向に連続する環形状を有することを特徴とする請求項１から８のいずれかに記載の発光部付き送風装置。
【請求項１０】
前記送風部には、前記発光部が装着されたとき当該発光部に電流を供給するために一対の電気ケーブルが設けられ、
前記一対の電気ケーブルは、前記送風部の外殻である筐体に設けられるひとつの管状の通路部を通じて配線されることを特徴とする請求項１から９のいずれかに記載の発光部付き送風装置。
【請求項１１】
前記発光部は前記送風部から電流の供給を受けるための一対の第２接点部を有し、
前記送風部は前記発光部が装着されたとき前記一対の第２接点部に電気的に接続される一対の第１接点部を有し、
前記一対の第１接点部は、互いに近接して前記筒状部に設けられることを特徴とする請求項１から１０のいずれかに記載の発光部付き送風装置。
【請求項１２】
前記中空の部材は、前記送出口から第１方向に伸びて前記筒状部の内径より小さな内径を有する中間筒部と、前記中間筒部から第１方向に伸びて前記中間筒部の内径より大きな内径を有する収容筒部と、を含み、
前記中間筒部は前記配線基板の外径より小さな内径を有することを特徴とする請求項１から１１のいずれかに記載の発光部付き送風装置。
【請求項１３】
前記中間筒部は前記嵌合筒部の外径より小さな内径を有することを特徴とする請求項１２に記載の発光部付き送風装置。
【請求項１４】
前記中間筒部には当該中間筒部の内部と外部とを連通する１または複数の開口が設けられることを特徴とする請求項１２または１３に記載の発光部付き送風装置。
【発明の詳細な説明】
【技術分野】
【０００１】
本発明は、皮膚または体毛に対して光と空気流とを出力する発光部付き送風装置に関する。
【背景技術】
【０００２】
従来、顔の皮膚に所定の種類の光を照射することで、皮膚の表面の殺菌などを行うヘアドライヤが知られている。例えば特許文献１には、吹き出し口から温風を吹き出すヘアドライヤであって青色光を吹き出し方向に向かって照射する光源付きヘアドライヤが記載されている。一方で、頭皮の皮下組織の血流等を活性化して育毛や発毛を促すために、頭皮または頭髪（以下、頭皮等という。）に所定の種類の光を照射する技術が検討されている。
【先行技術文献】
【特許文献】
【０００３】
【特許文献１】特開２０１４−１２８５２４号公報
【発明の概要】
【発明が解決しようとする課題】
【０００４】
ところで、特許文献１に記載のヘアドライヤは、吸入口と吹き出し口を有し、吸入口から吸い込んだ空気を本体ケース内の送風通路に収容したヒータにより加熱して吹き出し口から温風として吹き出すとともに、イオン発生装置を設けることによりイオンを含んだ空気を吹き出すと共に、青色光を吹き出し方向に向かって照射する光源が設けられている。このようなヘアドライヤは、波長４６５〜４７０ｎｍの青色光をＬＥＤから照射して、毛髪中の皮膚常在菌を殺菌する。青色光を吹き出し方向に向かって照射する光源を設けている。青色光には細菌の増殖を削減、もしくは後退させる殺菌効果があるので、青色光の照射を受けた髪の毛においてはイオンを含んだ空気により保湿されても皮膚常在菌が繁殖することを抑制する。
【０００５】
一方で、頭皮の皮下組織の血流等を活性化して育毛や発毛を促すために、頭皮又は頭髪に所定の種類の光を照射する技術が検討されている。このような技術では皮下組織への影響に優れる赤色光を所定の光量で用いることが効果的であるとの知見を得ている。つまり、このような技術では皮膚表面の殺菌用の光と比較して、大きな光量の光を頭皮等に届けることが求められている。
【０００６】
特許文献１に記載のヘアドライヤでは、青色光のＬＥＤ光源が吹き出し口に隣接した本体ケース端に設けているから、ＬＥＤ光源から照射の対象である頭皮等までの距離が、吹き出し口から頭皮等までの距離より長くなる。ＬＥＤ光源からの距離が長くなると頭皮等に届く光量が減少し、十分な効果を得にくい問題がある。
【０００７】
また、ＬＥＤ光源から頭皮等までの距離が長いと、ＬＥＤ光源からの光が拡散する範囲が広くなり、その光が目に入る可能性が高くなる。ＬＥＤ光源から照射された青色の光が目に入ると、いわゆるブルーライトの問題などで目が一定のストレスを受けることがあり、このようなストレスによる長期的な影響は十分に検証されているとはいえない。
【０００８】
特許文献１に記載のヘアドライヤにて、頭皮等に届く光量を増やすためにＬＥＤ光源の発光強度を大きくすると、目に入る光の光量が増えることとなる。つまり、従来のヘアケア装置では頭皮等に届く光量増やすことと、目に入る光の影響を小さくすることとは二律背反の関係にあった。
【０００９】
このような課題は、頭皮等に用いるヘアケア装置に限らず、頭皮等以外の体の皮膚や体毛（以下、皮膚等ということがある。）に用いるヘアケア装置についても同様に生じうる。
【００１０】
本発明の目的は、このような課題に鑑みてなされたもので、皮膚や体毛に対して光と空気流とを出力するヘアケア装置において、目に入る光の影響を抑えつつ皮膚や体毛に届く光量を増やすことが可能なヘアケア装置の技術を提供することにある。
【課題を解決するための手段】
【００１１】
上記課題を解決するために、本発明のある態様のヘアケア装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、複数の発光素子は、送風部の第１方向側において、空気流の中心部を避けて空気流を囲む位置に並べて配置される。
【００１２】
この態様によると、発光部を送風部より前に設けたから、より皮膚や体毛に接近して被照射部に届く光量が増え、相対的に目に入る光量の割合を抑える事が可能になる。また、複数の発光素子が空気流の中心部を避けて空気流を囲む位置に例えば環状に並べて配置されるから、空気流の流路抵抗を減らして拡散を抑え、空気流を効率的に被照射部に送ることができる。
【００１３】
本発明の別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、複数の発光素子は、空気流の中心部を避けた位置にて、当該発光素子の光軸が被照射部の空気流の中心部が当たる部分を向くように傾斜して設けられる。
【００１４】
この態様によると、被照射部に届く光量が増え、相対的に目に入る光量の割合を抑える事が可能になる。また、光軸が被照射部の空気流の中心部が当たる部分に向いて傾斜するから、被照射部において空気流と光束が重なり、これらの相乗効果が効果的に生じうる。
【００１５】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は複数の発光素子の第１方向側に設けられ光束が透過するカバー部材を含む。カバー部材は複数の発光素子それぞれの先端部を収容する複数の凹部を有する。
【００１６】
この態様によると、被照射部に届く光量が増え、相対的に目に入る光量の割合を抑える事が可能になる。また、凹部に発光素子の先端部を収容するから小型化に有利である。
【００１７】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は、複数の発光素子の第１方向側に設けられ光束が透過するカバー部材を含む。カバー部材は送風部の第１方向側にて空気流を囲むように形成される。
【００１８】
この態様によると、被照射部に届く光量が増え、相対的に目に入る光量の割合を抑える事が可能になる。また、カバー部材が空気流を囲むように形成されるから、カバー部材による流路抵抗を減らすことができる。
【００１９】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は、光束が透過するカバー部材であって複数の発光素子の第１方向側を一体に覆うカバー部材を含む。カバー部材は第１方向側に突出して被照射部に接触するための複数の突出部を有する。
【００２０】
この態様によると、被照射部に届く光量が増え、相対的に目に入る光量の割合を抑える事が可能になる。また、カバー部材が複数の発光素子を一体に覆うから、個々に覆う場合に比べて部品点数が減り組立の手間を減らすことができる。
【００２１】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は、第１方向側に張り出す張出部を有し、張出部が被照射部に予め設定された距離以下に接近したタイミングで発光を開始する。
【００２２】
この態様によると、被照射部に届く光量が増え、相対的に目に入る光量の割合を抑える事が可能になる。また、張出部が被照射部に予め設定された距離以下に接近したタイミングで発光を開始するから、操作が容易になる。
【００２３】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は、第１方向側に張り出す張出部を有し、張出部が被照射部に予め設定された距離以下に接近したタイミングから予め設定されたタイマー時間が経過したとき、音、振動および光の少なくとも何れかを用いた合図を出力する。
【００２４】
この態様によると、被照射部に届く光量が増え、相対的に目に入る光量の割合を抑える事が可能になる。また、合図が使用者の目安となり、張出部が被照射部に予め設定された距離以下に接近している時間間隔を揃えることができる。
【００２５】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は複数の発光素子を固定する配線基板を含む。配線基板は送風部の第１方向側にて空気流の周囲を囲む環形状を有する。
【００２６】
この態様によると、被照射部に届く光量が増え、相対的に目に入る光量の割合を抑える事が可能になる。また、配線基板が環形状を有するから、空気流がその中を通過して、配線基板による流路抵抗を小さくできる。
【００２７】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、送風部には、発光部が装着されたとき当該発光部に電流を供給するための電気ケーブルが設けられ、電気ケーブルは、送風部の外殻である筐体に設けられる管状の通路部を通じて配線される。
【００２８】
この態様によると、被照射部に届く光量が増え、相対的に目に入る光量の割合を抑える事が可能になる。また、電気ケーブルが管状の通路部を通じて配線されるから、筐体内部の温度上昇による配線への影響を緩和できる。
【００２９】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は送風部から電流の供給を受けるための第２接点部を有する。送風部は発光部が装着されたとき第２接点部に電気的に接続される第１接点部を有する。第１接点部は送風部の外殻である筐体の空気流に近い側に設けられる。
【００３０】
この態様によると、被照射部に届く光量が増え、相対的に目に入る光量の割合を抑える事が可能になる。また、第１接点部が筐体の空気流に近い例えば内部側に設けられるから、この接点部が外部に露出しないことで、誤って第１接点部に身体が触れる可能性を小さくできる。
【００３１】
本発明のさらに別の態様もまた、ヘアケア装置である。この装置は、第１方向に流れる空気流を送出する送風部と、送風部の第１方向側に脱着可能に装着され、被照射部である皮膚または体毛を照らすための光束を出力する複数の発光素子を含む発光部と、を備える。送風部は被照射部に向けて空気流を送出するように構成され、発光部は、複数の発光素子を固定する環状の配線基板を収容する収容筒部と、送風部の第１方向端に嵌合する嵌合筒部と、収容筒部と嵌合筒部の間に設けられる中間筒部と、を含む。中間筒部は配線基板の外径より小さな内径を有する。
【００３２】
この態様によると、被照射部に届く光量が増え、相対的に目に入る光量の割合を抑える事が可能になる。また、中間筒部が空気流の外形を絞って拡散を抑制し、空気流が配線基板に当たる割合を小さくできる。
【００３３】
なお、ヘアケア装置は、主に頭髪等をケアする頭髪ケア装置に限られず、頭髪等以外の皮膚等をケアするケア装置を含む。皮膚等をケアすることには皮膚等を健康な状態に維持することを含む。
【発明の効果】
【００３４】
本発明によれば、皮膚や体毛に対して光と空気流とを出力するヘアケア装置において、目に入る光の影響を抑えつつ皮膚や体毛に届く光量を増やすことが可能なヘアケア装置の技術を提供することができる。
【図面の簡単な説明】
【００３５】
【図１】実施形態に係るヘアケア装置の分解斜視図である。
【図２】実施形態に係るヘアケア装置の正面図である。
【図３】実施形態に係るヘアケア装置の側断面図である。
【図４】実施形態に係るヘアケア装置のカバー部材の正面図である。
【図５】図４のカバー部材の側面図である。
【図６】図４のカバー部材の背面図である。
【図７】カバー部材と発光素子の周辺の拡大断面図である。
【図８】実施形態に係るヘアケア装置のフード部材の正面図である。
【図９】図８のフード部材の側面図である。
【図１０】実施形態に係るヘアケア装置の複数の発光素子の正面図である。
【図１１】図１０の複数の発光素子の側面図である。
【図１２】図３の筒状部と嵌合筒部の拡大断面図である。
【図１３】実施形態に係るヘアケア装置のブロック配線図である。
【発明を実施するための形態】
【００３６】
以下、本発明を好適な実施の形態をもとに図１から図１３を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００３７】
図１は実施形態に係るヘアケア装置１００の分解斜視図であり、図２はヘアケア装置１００の正面図であり、図３はヘアケア装置１００の側断面を模式的に示している。以下、ＸＹＺ直交座標系をもとに説明する。方向Ｘは水平な左右方向に対応し、方向Ｙは水平な前後方向に対応し、方向Ｚは鉛直な上下方向に対応する。方向Ｙおよび方向Ｚはそれぞれ方向Ｘに直交する。方向Ｘは左方向あるいは右方向と、方向Ｙは前方向あるいは後方向と、方向Ｚは上方向あるいは下方向と表記することがある。
後述する半径方向という。
これらの方向の表記に関わらず、ヘアケア装置１００は任意の姿勢で使用されうる。
【００３８】
実施形態に係るヘアケア装置１００の説明は、被照射部である皮膚または体毛の一例として頭皮または頭髪にヘアドライヤ形状を有するヘアケア装置を使用する例について説明する。ヘアケア装置１００は眉毛や髭など頭髪以外の部位における体毛とその根元近傍の皮膚についても使用することができる。
【００３９】
実施形態に係るヘアケア装置１００は、図３に示すように、第１方向Ｐに流れる空気流４２を送出するための送風部４０と、被照射部７０の一例である頭皮または頭髪を照らすための光束２８を出力する発光部１０と、を備えており、発光部１０は送風部４０の第１方向Ｐ側に設けられている。
【００４０】
被照射部７０の近傍にヘアケア装置１００を置いた状態で、被照射部７０に光束２８を照射していると被照射部７０の温度が上昇することが考えられる。また、使用中にヘアケア装置１００自身が発熱することで、被照射部７０の温度を上昇させることも考えられる。そこで、ヘアケア装置１００では、送風部４０は被照射部７０に向けて空気流４２を送出するように構成されている。被照射部７０が空気流４２を受けることで温度上昇を緩和することができる。また、被照射部７０が非加温の涼風を受けることで、使用者の緊張がほぐれて血流が改善されることで、頭皮に光束２８と空気流４２とを受けることとの相乗効果も期待できる。
【００４１】
（カバー部材）
次に、図４から６を参照して、カバー部材１８について説明する。図４はカバー部材１８の正面図、図５はその側面図、図６はその背面図である。複数の発光素子２０が被照射部７０の一例である頭皮や頭髪に直接接触すると、複数の発光素子２０に皮脂などの異物が付着して複数の発光素子２０の表面が曇ることがある。複数の発光素子２０の表面が曇ると出力される光量が減少することが考えられる。このため、複数の発光素子２０は被照射部７０に直接接触しないことが望ましい。そこで、ヘアケア装置１００では、発光部１０には光束２８が透過するカバー部材１８が交換可能に設けられている。この場合、カバー部材１８に異物が付着した場合は外して洗浄することができる。カバー部材１８は工具を用いずに手動にて交換可能に取り付けられてもよい。カバー部材１８には容易に取り付けと取り外しができる係合部が設けられてもよい。
【００４２】
（突出部）
カバー部材の前側の表面が平坦である場合には、カバー部材が頭髪を押さえて密集させるから、光束は、頭髪に当たる割合が増えて、頭皮に届く割合が小さくなることが考えられる。そこで、ヘアケア装置１００では、カバー部材１８は第１方向側に突出して被照射部７０に接触するための複数の突出部１９を有する。この場合、突出部１９は頭髪の間に分け入り、突出部１９の先端が頭皮に接近するから、光束２８が効率的に頭皮に届くようになる。突出部１９の先端が頭皮に当接するようにしてもよい。突出部１９の先端が頭皮に当たることで、頭皮に適度な刺激を加え、血流を促進することが可能になる。
【００４３】
大型化を抑制する観点から、発光部は前後方向の寸法が小さいことが望ましい。そこで、ヘアケア装置１００では、図７に示すように、カバー部材１８には複数の発光素子２０の少なくとも一部を収容する凹部１９ｂが設けられている。凹部１９ｂに、例えば発光素子２０の先端部を収容することによって、発光部１０の前後方向の寸法の小型化が可能になる。凹部１９ｂは突出部１９に対応して設けられてもよい。
【００４４】
光束２８に含まれる有害な紫外線光はできるだけ少ないことが望ましい。そこで、ヘアケア装置１００では、カバー部材１８は紫外線光を減衰させる材料から形成されている。この場合、カバー部材１８を透過した光束２８に含まれる紫外線光が少ないから使用者は安心して使用することができる。
【００４５】
頭部は略球状であるなど、被照射部は湾曲している場合が多い。このため、カバー部材の形状は、被照射部の湾曲形状に対応して設定されることが望ましい。そこで、ヘアケア装置１００では、図５に示すように、カバー部材１８は、第１方向Ｐである前後方向で送風部４０側に後退している後退領域１８ａと、後退領域１８ａより第１方向Ｐで前方に前進している前進領域１８ｂと、を含んでいる。この場合、カバー部材１８の後退領域１８ａと前進領域１８ｂとを、被照射部７０の湾曲形状Ｃに対応して配置することができる。
【００４６】
（フード部材）
次に、図８、９を参照して、フード部材１５について説明する。図８はフード部材１５の正面図、図９はその側面図である。
光束２８の一部が外側に漏れると、その漏れた光が目に入ることが考えられる。そこで、ヘアケア装置１００では、発光部１０に、第１方向Ｐ側で光束２８を囲むフード部材１５が設けられている。フード部材１５を設けたことにより外側に漏れる光量を減らすことができる。なお、フード部材１５を被照射部７０に接触するように設けることで、外側に漏れる光量をさらに減らすことができる。フード部材１５はカバー部材１８の突出部１９より前方に突出するように設けられてもよい。フード部材１５には、カバー部材１８の後退領域１８ａに対応する後退領域１５ａと、前進領域１８ｂに対応する前進領域１５ｂと、が設けられる。前進領域１５ｂは後退領域１５ａより第１方向Ｐで前方に前進している。
【００４７】
次に、図１０、１１を参照して、複数の発光素子２０について説明する。図１０は配線基板１３に取り付けられた状態の複数の発光素子２０の正面図、図１１はその側面図である。
【００４８】
使用者の利便の観点から、ヘアケア装置は広い範囲に光束を照射できることが望ましい。そこで、ヘアケア装置１００では、図１０に示すように、発光部１０は、複数の発光素子２０を含んでいる。複数の発光素子２０としては例えばＬＥＤ（light emitting diode）またはＬＤ（diode laser）を用いることができる。ヘアケア装置１００では、複数の発光素子２０が空気流４２の周囲を囲むように配置される。特に、複数の発光素子２０は、送風部４０の第１方向Ｐ側において、空気流４２の中心部を避けて空気流４２を囲む位置に例えば環状に並べて配置される。複数の発光素子２０は、空気流４２を囲む円形状、オーバル形状または多角形状に配置されてもよい。
【００４９】
既述したように、頭部は略球状であるから被照射部は湾曲している場合が多い。このため、それぞれの発光素子の位置は、被照射部の湾曲形状に対応して設定されることが望ましい。そこで、ヘアケア装置１００では、図１１に示すように、複数の発光素子２０は、第１方向Ｐである前後方向において、第１方向Ｐで送風部側に後退している発光素子２０ａと、後退している発光素子２０ａより第１方向で前進している発光素子２０ｂと、を含んでいる。つまり、ヘアケア装置１００では、複数の発光素子２０のそれぞれについて、頭部の湾曲形状Ｃに沿うように、前後方向の位置を変化させて配置されている。ヘアケア装置１００では、一例として、方向Ｚ（上下方向）に沿って、その中央近傍の発光素子２１はその両側（上側および下側）の発光素子２２より、第１方向Ｐである前後方向で後側に後退して配置されている。複数の発光素子２０のそれぞれの頭部表面からの距離の差が小さくなり、光束２８を効果的に照射することができる。
【００５０】
被照射部内で受ける光量は、被照射部内のそれぞれの部位での偏りが小さいことが望ましい。そこで、ヘアケア装置１００では、複数の発光素子２０の少なくとも一部は、第１方向Ｐである前後方向に対して傾斜して設けられている。つまり、ヘアケア装置１００では、複数の発光素子２０の少なくとも一部が前後方向に対して光軸が傾くように設けられている。ヘアケア装置１００では、一例として、複数の発光素子２０は、その光軸が前方で交差するように内向きに傾けられている。特に、複数の発光素子２０は、空気流４２の中心部を避けた位置にて、当該発光素子２０の光軸が被照射部７０の空気流４２の中心部が当たる部分を向くように傾斜して設けられる。複数の発光素子２０は、その光軸が前方で開くように外向きに傾けられてもよい。このような傾斜の方向は発光素子の指向性に対応して設定することができる。このような傾斜は、例えば３度から３０度の範囲に設定することができる。ヘアケア装置１００では、複数の発光素子２０の光軸は前後方向に対して３度内向きに斜傾して設けられている。
【００５１】
大きな光量の光束を出力する場合に、発光部の発光素子やその周辺の電子部品の温度上昇が懸念される。これらの部品は使用温度が高くなると発光素子や電子部品の寿命が短くなるため、発光素子やその周辺の電子部品は冷却されながら使用されることが望ましい。そこで、ヘアケア装置１００では、図３に示すように、複数の発光素子２０の少なくとも一部は空気流４２が通過する領域に配置されている。つまり、送出口１１４から前方に延長した範囲に複数の発光素子２０が配置されている。この場合、複数の発光素子２０には送出口１１４から送出された空気流４２によって冷却されて温度上昇が抑えられる。
【００５２】
また、ヘアケア装置１００では、図３に示すように、発光部１０は、複数の発光素子２０のいずれかに電気的に接続される電子部品１４の少なくとも一部が空気流４２が通過する範囲に配置されている。つまり、電子部品１４の少なくとも一部は、空気流４２によって放熱が促進されるように配置される。この場合、電子部品１４には空気流４２が当たるから、電子部品１４は冷却されて温度上昇が抑えられる。
【００５３】
発光部１０が出力する光束２８が目に入る可能性を小さくすることが望ましい。そこで、ヘアケア装置１００では、図３に示すように、発光部１０が被照射部７０から所定の距離以上に離れると、発光部１０に供給する電流を遮断または減らすように構成される電流制限部３２を備えている。つまり、ヘアケア装置１００では、発光部１０が被照射部７０に接近している状態で、発光部１０は通電されて光束２８を出力し、被照射部７０から遠ざかると実質的に通電を停止するように構成されている。電流制限部３２は、例えば、発光部１０からの距離を検出して、その検出した距離に応じて発光部１０への通電を制御するように構成されてもよい。また、電流制限部３２は、発光部１０が被照射部７０またはその周辺に接触した場合に発光部１０に通電するように構成されてもよい。発光部１０が頭部から離れると自動的に光束２８の出力が小さくなるから光束２８が目に入る可能性を小さくできる。なお、理解を容易にするため、図１、２では電流制限部３２の記載を省略している。
【００５４】
（合図出力部）
ヘアケア装置は、例えば頭部を複数の被照射部に分けて、それぞれの被照射部毎に所定の時間ずつ使用されることがある。使い勝手の観点から、それぞれの被照射部への使用時間は好ましくは３秒から３０秒の範囲、より好ましくは５秒から２０秒の範囲にすることができる。それぞれの被照射部への使用時間は、ヘアケア装置の光束が大きい場合は短く、小さい場合は長くなる。このような使用時間について合図が出力されると使用者に便利である。そこで、ヘアケア装置１００では、図３に示すように、所定のタイミングで使用者が知覚できる合図を出力するように構成される合図出力部３４を備えている。一例として、合図出力部は、設定された時間（例えば１０秒）毎に合図であるビープ音３４ｅを出力するようにしてもよい。使用者は合図のタイミングで使用位置を切り替えて使用することができる。合図としては使用者が知覚できるものであれば特に制限はない。なお、理解を容易にするため、図１、２では合図出力部３４の記載を省略している。
【００５５】
それぞれの被照射部への使用時間は揃っていることが望ましい。そこで、ヘアケア装置１００では、合図出力部３４は、発光部１０への電流の供給開始から所定の時間経過したタイミングで、音、振動および光の少なくとも何れかを用いた合図を出力するように構成されている。一例として、合図出力部３４は、発光部１０への電流の供給開始から設定された時間（例えば５秒）経過したタイミングで合図であるビープ音３４ｅを出力するようにしてもよい。使用者はビープ音３４ｅのタイミングで使用位置を切り替えて使用することができる。この場合、それぞれの被照射部への使用時間が揃いやすくなる。
【００５６】
ヘアケア装置は、いくつかのブロックに分離できると収納がコンパクトになり携帯に便利である。一方で、ヘアケア装置は発光部と送風部の一方に給電するだけで、他方にも給電できることが望ましい。そこで、ヘアケア装置１００では、発光部１０は送風部４０の第１方向Ｐ側に脱着可能に装着される。特に、発光部１０は送風部４０に対して工具を用いずに手動にて取り付けおよび取り外し可能に設けられている。発光部１０は送風部４０から電流の供給を受けるための第２接点部３８を有している。送風部４０は発光部１０が装着されたとき第２接点部３８に電気的に接続される第１接点部３６を有している。このように構成することにより。ヘアケア装置１００は発光部１０と送風部４０とに分離して収納できる。また、ヘアケア装置１００は、発光部１０を送風部４０に取り付けることで送風部４０側に給電するだけで第１接点部３６と第２接点部３８を介して発光部１０にも給電できる。第１接点部３６は送風部４０の外殻である筐体１１０の空気流４２に近い内部側または空気流４２と反対側の外部側に設けることができる。実施の形態のヘアケア装置１００では、一例として、後述する筐体１１０の第１方向端である筒状部８２の外周部に第１接点部３６が設けられている。
【００５７】
次に、ヘアケア装置１００の具体的な構造について説明する。
【００５８】
（送風部）
送風部４０は、図３に示すように、筐体１１０と、グリップ部１０８と、吸入口１１６と、送出口１１４と、インペラ４３と、モータ４１と、ヒータ４４と、制御部５０と、スイッチ部５２と、通路部１１８と、第１接点部３６と、電源部１２４と、筒状部８２と、を含む。
【００５９】
筐体１１０は、送風部４０の外殻であり、その内部に送風部４０の主要な構成要素を収容して保持する。筐体１１０は、中空の略円筒状の部材で、樹脂材料からモールド成型工程により形成することができる。グリップ部１０８は、使用者が手で握るための部分で、筐体１１０の後部寄りの外周下面から下方に突き出るように取り付けられる。グリップ部１０８は、筐体１１０に対して、折り曲げを可能とするヒンジ手段を介して接続されてもよい。
【００６０】
吸入口１１６は、送風するための空気を雰囲気空間から筐体１１０内に導入するための開口で、例えば筐体１１０の後方側に設けられる。吸入口１１６には異物の侵入を抑制する網目部材（不図示）が設けられてもよい。送出口１１４は、空気流４２を送出するための開口で、筐体１１０の前方側に設けられる。送出口１１４には異物の侵入を抑制する網目部材（不図示）が設けられてもよい。
【００６１】
インペラ４３は、回転することにより後方の空気を前方に押し出すための羽根部材で、例えば樹脂材料からモールド成型工程により形成することができる。インペラ４３は、筐体１１０内に吸入口１１６の前方側に設けられる。モータ４１は、インペラ４３を回転駆動するための電気モータで、制御部５０から電流が供給されることによって回転する。モータ４１は筐体１１０内のインペラ４３の前方側に設けられ、モータ４１の回転軸（不図示）がインペラ４３の中心部に固定される。
【００６２】
ヒータ４４は、インペラ４３によって押し出された空気流を加熱するための電気ヒータで、制御部５０から電流が供給されることによって発熱する。ヒータ４４は、筐体１１０のモータ４１の前方側に設けられる。制御部５０は、電源部１２４から供給される電力を制御して、スイッチ部５２の状態に応じて、モータ４１とヒータ４４と発光部１０のそれぞれに電流を供給するように構成される。制御部５０は、例えばグリップ部１０８内に収容されて固定されている。制御部５０は、筐体１１０内に収容されてもよい。被照射部７０への過度な照射を制限する観点で、発光部１０の照射光量を制限する手段を設けてもよい。一例として、制御部５０は、発光部１０への供給電流と供給時間とをパラメータとして所定の演算により取得した値に基づき発光部１０への給電を制限するように構成されてもよい。
【００６３】
スイッチ部５２はヘアケア装置１００の動作モードを切り替える部材である。スイッチ部５２には、機械接点を有する機械式スイッチや、手指の接触を検出して電子的に切り替える電子式スイッチを含むことができる。スイッチ部５２は、グリップ部１０８の前方側の開口１０８ａに突出部５２ａが突出するように、グリップ部１０８に取り付けられる。スイッチ部５２は、突出部５２ａを後方に押し込むことによって複数のモードを切り替えるように構成される。例えば、全体オフ状態から、１回目の押し込みによってモータ４１に電流を供給して送風を開始し、２回目の押し込みによって発光部１０に電流を供給して発光を開始し、３回目の押し込みによって発光部１０の電流をオフにしてヒータ４４に電流を供給して加熱を開始し、４回目の押し込みによって全体オフ状態にすることができる。スイッチ部５２は、複数の電気スイッチを含むことができる。スイッチ部５２は、発光部１０への給電を開始または停止するための発光制御スイッチを含んでもよく、この発光制御スイッチはヘアケア装置１００の姿勢に応じて給電を開始または停止するように構成されてもよい。この発光制御スイッチは、一例として、ヘアケア装置１００が所定の姿勢（例えば、発光部１０が頭部に向いた姿勢）において、発光部１０に給電を開始するように構成されてもよい。
【００６４】
送風部４０には、発光部１０が装着されたとき当該発光部１０に電流を供給するための電気ケーブル１２６が設けられる。第１接点部３６は、第２接点部３８と電気的に接続されるための接点を有しており、電気ケーブル１２６によって制御部５０の出力部に電気的につなげられている。通路部１１８は、制御部５０から発光部１０に繋げられる電気ケーブル１２６をヒータ４４の熱から保護するための通路である。特に、電気ケーブル１２６は、送風部４０の外殻である筐体１１０の例えば内側に設けられる管状の通路部１１８を通じて配線される。通路部１１８は、電気ケーブル１２６を収容するために、筐体１１０の下方に設けられる。
【００６５】
電源部１２４は、電源ケーブル（不図示）から供給された電力を制御部５０に送るための電気回路で、グリップ部１０８に収容されて固定される。電源部１２４は、整流回路や平滑回路が含まれてもよい。
【００６６】
筒状部８２は送風部４０の第１方向Ｐ側端部に設けられる中空筒状の部位である（図１も参照）。筒状部８２の内側には空気流４２を送出する送出口１１４が形成される。筒状部８２は後述する発光部１０の嵌合筒部８４と嵌合する。特に、筒状部８２の少なくとも先端部は嵌合筒部８４の内側に収容される。図１２は、筒状部８２と後述する嵌合筒部８４の拡大断面図である。筒状部８２には、送風部４０に発光部１０を取り付けおよび取り外し可能に装着するための着脱機構が設けられる。特に、筒状部８２には、筐体１１０の前方に設けられる嵌合外周面８２ａと、嵌合外周面８２ａに設けられた爪部８２ｂとが設けられる。嵌合外周面８２ａは、例えばその後方側の領域より小径に形成される。爪部８２ｂは嵌合外周面８２ａに１つまたは複数（例えば２個）設けられてもよい。嵌合外周面８２ａは嵌合筒部８４の嵌合内周面８４ａに嵌合するように構成される。爪部８２ｂは後述する嵌合筒部８４の段部８４ｂに係合するように構成される。
【００６７】
（発光部）
発光部１０は、図３に示すように、ハウジング３０と、通気口８６と、カバー部材１８と、フード部材１５と、配線基板１３と、電子部品１４と、複数の発光素子２０と、第２接点部３８と、嵌合筒部８４と、を含む。
【００６８】
ハウジング３０は、その内部に発光部１０の主要な構成要素を収容して保持するための中空の略円筒状の部材である。ハウジング３０は、複数の発光素子２０を固定する環状の配線基板１３を収容する収容筒部３１と、送風部４０の第１方向Ｐ側の端部４０ａに設けられる筒状部８２に嵌合する嵌合筒部８４と、収容筒部３１と嵌合筒部８４の間に設けられる中間筒部１７と、を含む。図３に示すように、中間筒部１７は配線基板１３の外径より小さな内径を有する。この内径が大きい場合に比べて、空気流４２が配線基板１３の内側に当たって拡散する割合を小さくできる。中間筒部１７は送風部４０の筒状部８２の前方端の外径より小さな内径を有する。この内径が大きい場合に比べて、中間筒部１７は空気流４２の拡散を抑えて中心部寄りに集めることができる。空気流４２を中心部寄りに集めることで、光束２８に照らされる被照射部７０に効率的に空気流４２を送ることができる。
【００６９】
通気口８６は、ハウジング３０の内部と外部とを連通する開口で、ハウジング３０の中間筒部１７の外周部に１または複数（例えば４つ）形成される。通気口８６を設けることで、ハウジング３０の内部の空気の換気を促し、被照射部７０の温度上昇を抑えることが可能になる。ハウジング３０は、例えば樹脂材料からモールド成型工程により形成することができる。
【００７０】
カバー部材１８は、図５〜７に示すように、前後方向（方向Ｘ）に対して垂直に設けられる略円盤状の部材で、内周部１８ｊと外周部１８ｋとを有する。カバー部材１８は送風部４０の第１方向Ｐ側にて空気流４２の周囲を囲む形状に形成される。カバー部材１８は中空環状に形成されてもよい。カバー部材１８が中空に形成されることで空気流４２の抵抗を抑制することができる。カバー部材１８は、例えば光の透過性が良好な樹脂材料からモールド成型工程により形成することができる。カバー部材１８の前方側には前方に向かって突出する複数（例えば２４個）の突出部１９が設けられている。突出部１９は円筒の先端に半球を結合したような砲弾形状を有している。図６に示すように、カバー部材１８は複数の発光素子２０それぞれの先端部を収容する複数の凹部１９ｂを有する。凹部１９ｂは、カバー部材１８の後方側において前方側に窪むように複数（例えば２４個）設けられる。凹部１９ｂは突出部１９に対応している。言い換えると、カバー部材１８は、複数の凹部１９ｂが設けられる面と反対側の面に第１方向Ｐ側に突出する複数の突出部１９を有する。
【００７１】
フード部材１５は、図８、９に示すように、前後方向（方向Ｘ）に延在する中空円筒形状の部材で、内周部１５ｊと外周部１５ｋとを有する。フード部材１５は、例えば樹脂材料からモールド成型工程により形成することができる。フード部材１５は、カバー部材１８より光透過性の低い材料から形成されてもよい。フード部材１５の内面には反射面が形成されてもよい。フード部材１５はカバー部材１８と一体化した状態で発光部１０に取り付けおよび取り外し可能に形成されてもよい。
【００７２】
発光部１０は、複数の発光素子２０を固定するプリント配線板である配線基板１３を含む。配線基板１３は、図１１に示すように、前後方向に対して垂直に設けられる略円板形状を有する。配線基板１３は送風部４０の第１方向Ｐ側にて空気流４２の周囲を囲む環形状を有する（図１、３も参照）。配線基板１３は内周部１３ｊと外周部１３ｋとを有する。配線基板１３は、外周部１３ｋがハウジング３０の段部にネジ締めや接着によって固定される。電子部品１４は、複数の発光素子２０に流れる電流を制限する抵抗や電圧を平滑するコンデンサなどを含んでもよい。電子部品１４は、例えば配線基板１３の前面部や後面部に半田付けによって固定されている。
【００７３】
複数の発光素子２０は、図１０、１１に示すように、配線基板１３の前面側に、周方向に略等間隔で配置される複数（例えば２４個）のＬＥＤ２０ｍを含んでいる。ＬＥＤ２０ｍとしては、特別の制限はないが、実施の形態のヘアケア装置１００では、波長が６２０〜６７０ｎｍ（赤色）のＬＥＤを選択している。例えば６３８ｎｍの赤色光を、光量時間積が１平方センチメートル当たり１Ｊ（＝Ｗ・ｓ）から１．５Ｊ（＝Ｗ・ｓ）にて用いることで皮下組織の活性化に効果があるとの知見を得ている。この場合に、照射時間を調整することで、光量は被照射部７０が日焼けなどの損傷を受けない程度の範囲に、より好ましくは使用者が痛痒を感じない程度の範囲に抑えることが望ましい。また、１箇所の１回の照射時間が３秒から３０秒の範囲、より好ましくは５秒から２０秒の範囲で上記の光量時間積が得られるように複数の発光素子２０の光量を設定してもよい。
【００７４】
第２接点部３８は、図１３に示すように、第１接点部３６と電気的に接続されるための接点を有しており、電気ケーブル１２８によって複数の発光素子２０に電気的につなげられている。第２接点部３８は、例えば嵌合筒部８４の内周部に設けられている。送風部４０に発光部１０を取り付けられた状態で、第２接点部３８の２個の接点が第１接点部３６の２個の接点のそれぞれに電気的に接続される。
【００７５】
嵌合筒部８４には、図１２に示すように、送風部４０に発光部１０を取り付けおよび取り外し可能に装着するための着脱機構が設けられる。嵌合筒部８４には、ハウジング３０の後方に設けられる嵌合内周面８４ａと、嵌合内周面８４ａに形成された段部８４ｂとが形成される。段部８４ｂは嵌合内周面８４ａに１つまたは複数（例えば２個）設けられてもよい。嵌合内周面８４ａは、筒状部８２の嵌合外周面８２ａに嵌合するように構成される。段部８４ｂは筒状部８２の爪部８２ｂに係合するように構成される。
【００７６】
（電流制限部）
電流制限部３２は、発光部１０が被照射部７０から所定の距離以上に離れると、発光部１０に供給する電流を遮断または減らすように構成される。電流制限部３２は、センサ部３２ａを含み、センサ部３２ａの状態に応じて発光部１０に供給する電流を遮断または減らすように構成される。センサ部３２ａには、機械的な接触に対応して出力状態が変化するリミットスイッチや、光や音波を利用した距離センサを採用することができる。実施の形態のヘアケア装置１００では、図３に示すよう、センサ部３２ａがハウジング３０の外周部に取り付けられている。発光部１０において、センサ部３２ａは、第１方向Ｐ側に張り出す張出部である先端部３２ｅを有する。センサ部３２ａは先端部３２ｅが被照射部７０に接して押し込まれるとオンになるリミットスイッチ３２ｂを内蔵している。
【００７７】
図１３に示すよう、リミットスイッチ３２ｂは発光部１０に直列に接続されており、非使用時はオフで、先端部３２ｅが被照射部７０に接するとオンになり発光部１０に通電する。つまり、発光部１０は先端部３２ｅが被照射部７０に接触したタイミングで発光を開始するように構成される。先端部３２ｅの位置を調整することで、通電と非通電の切り替え距離を所望の距離に設定することができる。また一例として、発光部１０は、先端部３２ｅが被照射部７０に接触したタイミングから予め設定されたタイマー時間が経過したら発光を停止するように構成してもよい。また別の一例として、発光部１０は、張出部である先端部３２ｅが被照射部７０に接触したタイミングから予め設定されたタイマー時間が経過したとき、音、振動および光の少なくとも何れかを用いた合図を出力するようにしてもよい。このような合図は後述する合図出力部３４を備えることで出力することができる。なお、これらの動作タイミングとしては、先端部３２ｅが被照射部７０に接触したタイミングに代えて、先端部３２ｅが被照射部７０に予め設定された距離以下に接近したタイミングを用いるようにしてもよい。
【００７８】
（合図出力部）
合図出力部３４は、所定のタイミングで、音、振動および光の少なくとも何れかを用いた合図を出力するように構成される。合図出力部３４は、発光部１０または送風部４０に設けられる。ヘアケア装置１００では、図３に示すように、合図出力部３４はハウジング３０の外周部に設けられている。実施の形態のヘアケア装置１００では、合図出力部３４は、発光部１０への電流の供給開始から所定の時間経過したタイミングで合図を出力するように構成される。合図出力部３４は、図１３のブロック配線図に示すように、発光部１０への通電開始後に設定したタイマー時間を経過すると出力状態がオフからオンに変化するタイマー手段３４ａと、タイマー手段３４ａの出力状態がオンであるときにビープ音３４ｅを発生させるブザー手段３４ｂとを含んでいる。タイマー手段３４ａは発光部１０が通電状態になることでアクティブになり、時間のカウントを開始する。タイマー手段３４ａは所定の時間カウントが経過するとブザー手段３４ｂに通電してビープ音３４ｅを発生させる。発光部１０が非通電状態になるとタイマー手段３４ａはリセットされ、ブザー手段３４ｂは休止する。さらに、発光部１０が通電状態になると、タイマー手段３４ａはアクティブになり、合図出力部３４は上記の動作を繰り返す。
【００７９】
次に、このように構成されたヘアケア装置１００を使用する方法を説明する。
（１）第１の使用形態
第１の使用形態は、送風部４０は非稼働状態として、発光部１０の発光機能のみを使用する。このモードを第１モードと表記する。まず、スイッチ部５２を操作して、ヘアケア装置１００を第１モードに切り替える。この状態では、電流制限部３２が働いており、発光部１０は非発光状態にある。発光部１０を頭部に接近させて先端部３２ｅが被照射部７０に接すると、発光部１０は通電され発光を開始して被照射部７０に光束２８を照射する。これと同時にタイマー手段３４ａが起動し、例えば設定した１０秒が経過するとブザー手段３４ｂからビープ音３４ｅを発生させる。使用者は、ビープ音３４ｅに応じて、発光部１０を一旦頭部から離す。この状態で発光およびビープ音３４ｅは停止する。使用者が、発光部１０を頭部の別位置の被照射部７０に接近させて置くことで先端部３２ｅが被照射部７０に接すると、上記と同様の動作を繰り返す。これらの動作を繰り返すことで頭部の所望の範囲に光束２８を受けることができる。
【００８０】
（２）第２の使用形態
第２の使用形態は、送風部４０を非加熱の涼風を送風する状態にして、発光部１０の発光機能と共に使用する。このモードを第２モードと表記する。まず、スイッチ部５２を操作して、ヘアケア装置１００を第２モードに切り替える。この状態では、送風部４０が送出した非加熱の空気流４２が発光部１０の中孔部１６を通過して出口部１６ｂから吐き出されている。発光部１０を頭部に接近させると、頭部には空気流４２が当たる。さらに、発光部１０を頭部に接近させて先端部３２ｅが被照射部７０に接すると、発光部１０は通電され発光を開始して被照射部７０に光束２８を照射する。つまり、この状態では被照射部７０には非加熱の空気流４２と光束２８とが同時に当たる。第１の使用モードと同様に、合図出力部３４が稼働することで、所定のタイミングでビープ音３４ｅが発生する。使用者は、ビープ音３４ｅに応じて、使用者が、発光部１０を頭部の別位置の被照射部７０に置くことで上記と同様の動作を繰り返す。これらの動作を繰り返すことで、使用者は、頭部の所望の範囲に非加熱の空気流４２と光束２８とを同時に受けることができる。
【００８１】
（３）第３の使用形態
第３の使用形態は、送風部４０を加温した温風を送風する状態にして、発光部１０の発光機能と共に使用する。このモードを第３モードと表記する。まず、スイッチ部５２を操作して、ヘアケア装置１００を第３モードに切り替える。この状態では、送風部４０が送出した加温した空気流４２が発光部１０の中孔部１６を通過して出口部１６ｂから吐き出されている。以下の動作は第２の使用形態と同様であり、この動作を繰り返すことで、頭部の所望の範囲に加温した空気流４２と光束２８とを同時に受けることができる。
【００８２】
（４）第４の使用形態
第４の使用形態は、発光部１０は非稼働状態として、送風部４０の送風機能のみを使用する。この場合、発光部１０は送風部４０から取り外した状態で使用してもよいし、取り付けた状態で使用してもよい。以下は、取り付けた状態で使用する例を説明する。このモードを第４モードと表記する。まず、スイッチ部５２を操作して、ヘアケア装置１００を第４モードに切り替える。この状態では、送風部４０が送出した非加熱または加温した空気流４２が発光部１０の中孔部１６を通過して出口部１６ｂから吐き出される。第４の使用形態によると、使用者は、頭部の所望の範囲に非加熱または加温した空気流４２を受けることができる。なお、第４の使用形態では合図出力部３４は使用してもよいし、使用しなくてもよい。
【００８３】
ヘアケア装置１００は、発光部１０の第１方向Ｐ側である前方側の少なくとも一部を頭部に接触した状態で使用してもよい。特に、上記の第１から第３の使用形態において、ヘアケア装置１００の一部を頭部に接触した状態で使用することができる。このように使用することによって、外側に漏れる光量を減らすことができる。
【００８４】
次に、本発明の実施の形態のヘアケア装置１００の特徴を説明する。
ヘアケア装置１００では、カバー部材１８は、複数の凹部１９ｂが設けられる面と反対側の面に第１方向Ｐ側に突出する複数の突出部１９を有する。この構成によると、突出部１９が頭髪などのなどの体毛の間に分け入り、頭髪などの体毛の密集を緩和することができる。
【００８５】
ヘアケア装置１００では、中間筒部１７は送風部４０の第１方向端の外径より小さな内径を有する。この構成によると、空気流４２を絞って中心部寄りに集めることで、空気流４２を光束２８に照らされる被照射部７０に効率的に送ることができる。
【００８６】
ヘアケア装置１００では、中間筒部１７には当該中間筒部の内部と外部とを連通する１または複数の開口である通気口８６が設けられる。この構成によると、ハウジング３０の内部の空気の換気を促し、発光部１０の温度上昇を抑えることができる。
【００８７】
ヘアケア装置１００は、第１方向Ｐに流れる空気流４２を送出するための送風部４０と、被照射部７０である皮膚または体毛を照らすための光束２８を出力する発光部１０と、を備えており、発光部１０は送風部４０の第１方向Ｐ側に設けられている。この構成により、ヘアケア装置１００では、被照射部７０は光束２８を受けることができる。
【００８８】
ヘアケア装置１００では、送風部４０は被照射部７０に向けて空気流４２を送出するように構成されているから、被照射部７０は光束２８と共に空気流４２を受けることができる。
【００８９】
ヘアケア装置１００では、発光部１０には光束２８が透過するカバー部材１８が交換可能に設けられているから、複数の発光素子２０が被照射部７０に直接接触する可能性を小さくできる。
【００９０】
ヘアケア装置１００では、カバー部材１８は第１方向Ｐ側に突出する複数の突出部１９を有しているから、突出部１９は頭髪の間に分け入り、頭髪の密集を緩和することができる。また、ヘアケア装置１００では、カバー部材１８には複数の発光素子２０の少なくとも一部を収容する凹部１９ｂが設けられているから、発光素子２０の先端部を凹部１９ｂに収容できる。また、ヘアケア装置１００では、カバー部材１８は紫外線光を減衰させる材料から形成されているから、カバー部材１８は光束２８の紫外線光を減衰させることができる。
【００９１】
ヘアケア装置１００では、カバー部材１８は、第１方向Ｐである前後方向で送風部４０側に後退している後退領域１８ａと、後退領域１８ａより第１方向Ｐで前方に前進している前進領域１８ｂと、を含んでいるから、カバー部材１８は被照射部７０の湾曲形状に対応することができる。
【００９２】
ヘアケア装置１００では、発光部１０に、第１方向Ｐ側で光束２８を囲むフード部材１５が設けられているから、フード部材１５は光束２８を蔽うことができる。
【００９３】
ヘアケア装置１００では、発光部１０は、複数の発光素子２０を含んでいるから、発光部１０は複数の発光素子２０によって発光することができる。
【００９４】
ヘアケア装置１００では、複数の発光素子２０は、第１方向Ｐである前後方向において、第１方向Ｐで送風部側に後退している発光素子２０ａと、後退している発光素子２０ａより第１方向で前進している発光素子２０ｂと、を含んでいるから、複数の発光素子２０は被照射部７０の湾曲形状に対応することができる。
【００９５】
ヘアケア装置１００では、複数の発光素子２０の少なくとも一部は、第１方向Ｐである前後方向に対して傾斜して設けられているから、複数の発光素子２０は第１方向Ｐから傾斜する発光素子を含むことができる。
【００９６】
ヘアケア装置１００では、複数の発光素子２０の少なくとも一部は空気流４２が通過する領域に配置されているから、複数の発光素子２０は空気流４２が通過する領域に配置される発光素子を含むことができる。
【００９７】
ヘアケア装置１００では、発光部１０は、複数の発光素子２０のいずれかに電気的に接続される電子部品１４の少なくとも一部が空気流４２が通過する範囲に配置されているから、発光部１０は空気流４２が通過する領域に配置される電子部品を含むことができる。
【００９８】
ヘアケア装置１００では、発光部１０が被照射部７０から所定の距離以上に離れると、発光部１０に供給する電流を遮断または減らすように構成される電流制限部３２を備えているから、被照射部７０から離れた場合に発光部１０の電流を変化させることができる。
【００９９】
ヘアケア装置１００では、所定のタイミングで使用者が知覚できる合図を出力するように構成される合図出力部３４を備えているから、使用者は合図によって所定のタイミングの到来を知覚することができる。
【０１００】
ヘアケア装置１００では、合図出力部３４は、発光部１０への電流の供給開始から所定の時間経過したタイミングで、音、振動および光の少なくとも何れかを用いた合図を出力するように構成されているから、使用者は、音、振動および光の少なくとも何れかにより所定の時間が経過したタイミングの到来を知覚することができる。
【０１０１】
ヘアケア装置１００では、発光部１０は、送風部４０に対して取り付けおよび取り外し可能に設けられており、送風部４０は、発光部１０に電流を供給するための第１接点部３６を有し、発光部１０は、送風部４０に取り付けられた状態にて第１接点部３６に電気的に接続される第２接点部３８を有しているから、ヘアケア装置１００は発光部１０を取り外すことができる。
【０１０２】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【０１０３】
（変形例１）
ヘアケア装置１００では、赤色光を出力するＬＥＤを使用する例について説明したが、これに限られない。例えば、緑色や青色の光を出力するＬＥＤを使用してもよく、異なった色の光を出力するＬＥＤを組み合わせて使用してもよい。
【０１０４】
（変形例２）
ヘアケア装置１００では、発光素子としてＬＥＤまたはＬＤを使用する例について説明したが、これに限られない。例えば、有機ＥＬ素子など他の種類の発光素子を使用してもよい。
【０１０５】
（変形例３）
ヘアケア装置１００では、送風部４０が主に手持ち式のヘアドライヤの形態を有する例について説明したが、これに限られない。ヘアケア装置の送風部はスタンドに支持されてもよい。また、ヘアケア装置は、頭部の少なくとも一部を収容する椀型の収容部を有し、送風部と発光部とが当該収容部内に設けられてもよい。
【０１０６】
（変形例４）
ヘアケア装置１００の発光部１０では、複数の発光素子２０が実質的に回転対称な位置において一重の円環状に配置される例について説明したがこれに限られない。複数の発光素子は多重の環状に配置されてもよい。複数の発光素子は点対称または線対称な位置に配置されてもよい。複数の発光素子は点対称でなく線対称でもない非対称な位置に配置されてもよい。複数の発光素子はアレイ状またはマトリックス状に配置される部分を含んでもよい。
【０１０７】
（変形例５）
本発明のヘアケア装置には、マイナスイオンを含む空気を送出する手段や、水や美容液などの液体を微粒化したミストを送出する手段などを備えてもよい。
【０１０８】
説明に使用した図面では、部材の関係を明瞭にするために一部の部材の断面にハッチングを施しているが、当該ハッチングはこれらの部材の素材や材質を制限するものではない。
【符号の説明】
【０１０９】
１０  発光部、  １３  配線基板、  １４  電子部品、  １５  フード部材、  １６  中孔部、  １６ｂ  出口部、  １７  中間筒部、  １８  カバー部材、  １８ａ  後退領域、  １８ｂ  前進領域、  １９  突出部、  １９ｂ  凹部、  ２０  発光素子、  ２１  発光素子、  ２２  発光素子、  ２８  光束、  ３０  ハウジング、  ３２  電流制限部、  ３２ｂ  リミットスイッチ、  ３４  合図出力部、  ３６  第１接点部、  ３８  第２接点部、  ４０  送風部、  ４１  モータ、  ４２  空気流、  ４３  インペラ、  ４４  ヒータ、  ５０  制御部、  ５２  スイッチ部、  ７０  被照射部、  ８２  筒状部、  ８４  嵌合筒部、  ８６  通気口、  １００  ヘアケア装置、  １０８  グリップ部、  １１０  筐体、  １１４  送出口、  １１６  吸入口、  １１８  通路部、  １２４  電源部、  １２６  電気ケーブル、  １２８  電気ケーブル。
【図１】
2019198712.tif 000003
【図２】
2019198712.tif 000004
【図３】
2019198712.tif 000005
【図４】
2019198712.tif 000006
【図５】
2019198712.tif 000007
【図６】
2019198712.tif 000008
【図７】
2019198712.tif 000009
【図８】
2019198712.tif 000010
【図９】
2019198712.tif 000011
【図１０】
2019198712.tif 000012
【図１１】
2019198712.tif 000013
【図１２】
2019198712.tif 000014
【図１３】
2019198712.tif 000015
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
筒状をなす筒状部を含み、第１方向に流れる空気流を送出する送風部と、
前記空気流を加熱するためのヒータと、
前記筒状部の第１方向側に設けられ、被照射部である皮膚または体毛を照らすための光束を出力する発光部と、
を備え、
前記送風部は、前記被照射部に向けて前記空気流を送出するように構成され、
前記発光部は、
前記空気流の周囲を囲むように周方向に連続する環形状を有する配線基板と、
前記光束を出力する素子であって、前記配線基板の第１方向側に固定され、前記筒状部の第１方向側において、前記空気流の中心部を避けて前記空気流の中心部を囲む位置に並べて配置される複数の発光素子と、
を含み、
前記複数の発光素子は、当該発光素子の光軸が前記被照射部の前記空気流の中心部が当たる部分を向くように傾斜して設けられ、波長が６２０〜６７０ｎｍの光を３〜３０秒の間に光量時間積が１平方センチメートル当たり１〜１．５Ｊとなる光量で出力する
ことを特徴とする発光部付き送風装置。
【請求項２】
前記光束が透過する部材であって、前記複数の発光素子の第１方向側に配置され、前記複数の発光素子それぞれの第１方向側を収容する複数の凹部と、前記複数の凹部それぞれに対応する位置において第１方向に突出する複数の突出部とを有し、前記空気流の周囲を囲むカバー部材を備えることを特徴とする請求項１に記載の発光部付き送風装置。
【請求項３】
前記複数の突出部より第１方向側に突出する部分を有し、前記カバー部材より光透過性の低い材料から形成され、前記カバー部材を環囲するフード部材を備えることを特徴とする請求項２に記載の発光部付き送風装置。
【請求項４】
前記発光部は、前記複数の発光素子のいずれかに電気的に接続される電子部品を含み、
前記電子部品の少なくとも一部は前記空気流が通過する範囲に配置されることを特徴とする請求項１から３のいずれかに記載の発光部付き送風装置。
【請求項５】
前記発光部は、第１方向側に張り出す張出部を有し、前記張出部が前記被照射部に予め設定された距離以下に接近したタイミングから予め設定されたタイマー時間が経過したとき、音、振動および光の少なくとも何れかを用いた合図を出力し、
前記タイマー時間は、前記複数の発光素子から前記被照射部に照射された光の光量時間積が１平方センチメートル当たり１〜１．５Ｊとなるまでの時間である
ことを特徴とする請求項１から４のいずれかに記載の発光部付き送風装置。
【請求項６】
中空のハウジングを備え、
前記ハウジングは、
前記筒状部に嵌まる嵌合筒部と、
前記配線基板及び前記複数の発光素子を収容する収容筒部と、
前記嵌合筒部と前記収容筒部との間に設けられる中間筒部と、
を含み、
前記中間筒部は、前記収容筒部の内径、前記配線基板の外径、前記筒状部の内径、および前記嵌合筒部の外径より小さな内径を有する
ことを特徴とする請求項１から５のいずれかに記載の発光部付き送風装置。
【請求項７】
前記中間筒部には当該中間筒部の内部と外部とを連通する１または複数の開口が設けられることを特徴とする請求項６に記載の発光部付き送風装置。